(57)【特許請求の範囲】
【請求項１】
第一の出力システムと、第二の出力システムと、端末装置と、を有する情報処理システムであって、
前記第一の出力システムは、
前記第一の出力システムにおいて出力するために登録された出力データ及び情報を蓄積する第一蓄積手段と、
ユーザから出力を行う前記第一蓄積手段に蓄積された前記出力データ及び情報の選択を受け付け、前記選択により前記第一蓄積手段から取得した前記出力データ及び情報に基づき出力処理を行う第一出力処理手段と、
を有し、
前記第二の出力システムは、
前記第二の出力システムにおいて出力するために登録された出力データ及び情報を蓄積する第二蓄積手段と、
ユーザから出力を行う前記第二蓄積手段に蓄積された前記出力データ及び情報の選択を受け付け、前記選択により前記第一蓄積手段から取得した前記出力データ及び情報に基づき出力処理を行う第二出力処理手段と、
を有し、
前記端末装置は、
ユーザからの引取要求又は登録要求を受け付ける受付手段と、
ユーザからの引取要求を受け付けた後、前記第一蓄積手段から前記出力データ及び情報を取得する取得手段と、
ユーザからの登録要求を受け付けた後、前記取得手段が前記第一蓄積手段から取得した前記出力データ及び情報を前記第二の出力システムにおいて出力するために、前記第二蓄積手段に蓄積させる登録手段と
を有する
ことを特徴とする情報処理システム。
【請求項２】
前記登録手段は、前記出力データの保存先情報を含む、前記第一蓄積手段から取得した前記情報を前記第二蓄積手段に蓄積させ、
前記第二出力処理手段は、前記端末装置が前記第二蓄積手段に蓄積させた前記情報と、前記情報に含まれる保存先情報の保存先から取得した前記出力データと、に基づき出力処理を行う
ことを特徴とする請求項１記載の情報処理システム。
【請求項３】
前記端末装置は、前記出力データ及び情報を蓄積する前記第一蓄積手段と接続するための接続情報と、前記出力データ及び情報を蓄積させる前記第二蓄積手段と接続するための接続情報と、を設定情報として有する
ことを特徴とする請求項１又は２記載の情報処理システム。
【請求項４】
前記設定情報には、前記取得手段が前記第一蓄積手段から前記出力データ及び情報を取得したあと、前記第一蓄積手段に蓄積されている前記出力データ及び情報を残すか残さないかを示す設定が含まれており、前記第一蓄積手段に蓄積されている前記出力データ及び情報を残さない設定の場合に、前記取得手段は前記第一蓄積手段から前記出力データ及び情報を取得したあと、前記第一蓄積手段に蓄積されている前記出力データ及び情報を削除する
ことを特徴とする請求項３記載の情報処理システム。
【請求項５】
前記端末装置は、更に、
前記受付手段がユーザからの元に戻す要求を受け付けると、前記引取要求により前記取得手段が前記第一蓄積手段から取得し、前記登録要求により前記第二蓄積手段に蓄積させた前記出力データ及び情報を、前記第一蓄積手段に蓄積し直す手段、
を有することを特徴とする請求項４記載の情報処理システム。
【請求項６】
前記端末装置は、前記端末装置の内部の第三蓄積手段、又は、ネットワークを介して接続される前記第一及び第二蓄積手段とは異なる第四蓄積手段に、前記第一蓄積手段から取得した前記出力データ及び情報を蓄積する
ことを特徴とする請求項１乃至５何れか一項記載の情報処理システム。
【請求項７】
前記端末装置は、前記第二出力処理手段から前記第三蓄積手段又は前記第四蓄積手段に蓄積した前記出力データの取得要求を受け付け、前記第三蓄積手段又は前記第四蓄積手段に蓄積した前記出力データを前記第二出力処理手段に提供する提供手段
を更に有することを特徴とする請求項６記載の情報処理システム。
【請求項８】
第一の出力システムと第二の出力システムとを有する情報処理システムにおいて、前記第一及び第二の出力システムと通信を行う端末装置であって、
前記第一の出力システムは、
前記第一の出力システムにおいて出力するために登録された出力データ及び情報を蓄積する第一蓄積手段と、
ユーザから出力を行う前記第一蓄積手段に蓄積された前記出力データ及び情報の選択を受け付け、前記選択により前記第一蓄積手段から取得した前記出力データ及び情報に基づき出力処理を行う第一出力処理手段と、
を有し、
前記第二の出力システムは、
前記第二の出力システムにおいて出力するために登録された出力データ及び情報を蓄積する第二蓄積手段と、
ユーザから出力を行う前記第二蓄積手段に蓄積された前記出力データ及び情報の選択を受け付け、前記選択により前記第一蓄積手段から取得した前記出力データ及び情報に基づき出力処理を行う第二出力処理手段と、
を有し、
前記端末装置は、
ユーザからの引取要求又は登録要求を受け付ける受付手段と、
ユーザからの引取要求を受け付けた後、前記第一蓄積手段から前記出力データ及び情報を取得する取得手段と、
ユーザからの登録要求を受け付けた後、前記取得手段が前記第一蓄積手段から取得した前記出力データ及び情報を前記第二の出力システムにおいて出力するために、前記第二蓄積手段に蓄積させる登録手段と
を有する
ことを特徴とする端末装置。
【請求項９】
第一の出力システムにおいて出力するために登録された出力データ及び情報を蓄積する第一蓄積手段と、ユーザから出力を行う前記第一蓄積手段に蓄積された前記出力データ及び情報の選択を受け付け、前記選択により前記第一蓄積手段から取得した前記出力データ及び情報に基づき出力処理を行う第一出力処理手段と、を有する第一の出力システムと、
第二の出力システムにおいて出力するために登録された出力データ及び情報を蓄積する第二蓄積手段と、ユーザから出力を行う前記第二蓄積手段に蓄積された前記出力データ及び情報の選択を受け付け、前記選択により前記第一蓄積手段から取得した前記出力データ及び情報に基づき出力処理を行う第二出力処理手段と、を有する第二の出力システムと、
を有する情報処理システムにおいて、前記第一及び第二の出力システムと通信を行う端末装置を、
ユーザからの引取要求又は登録要求を受け付ける受付手段、
ユーザからの引取要求を受け付けた後、前記第一蓄積手段から前記出力データ及び情報を取得する取得手段、
ユーザからの登録要求を受け付けた後、前記取得手段が前記第一蓄積手段から取得した前記出力データ及び情報を前記第二の出力システムにおいて出力するために、前記第二蓄積手段に蓄積させる登録手段
として機能させるためのプログラム。
【発明の詳細な説明】
【技術分野】
【０００１】
本発明は、情報処理システム、端末装置及びプログラムに関する。
【背景技術】
【０００２】
例えばクライアントＰＣにおいて印刷先の指定が不要な印刷システムがある。従来の印刷システムは、印刷データをクライアントＰＣから印刷サーバに送信し、印刷データをＨＤＤ等の記憶装置に蓄積しておく。その後、ユーザから印刷指示を入力されたプリンタは印刷サーバから印刷データをダウンロードし、印刷を行う（例えば特許文献１参照）。
【発明の概要】
【発明が解決しようとする課題】
【０００３】
印刷データを一旦、プリントサーバ装置に蓄積し、ユーザからの印刷指示により画像形成装置で印刷を実行する、いわゆるプルプリントシステム等の印刷システムがある。このような印刷システムは例えば事業所毎など、複数設けられている場合があった。
【０００４】
したがって、複数の印刷システムを利用するユーザは、一の印刷システムにおいてプリントサーバ装置に蓄積した印刷データを、他の印刷システムの画像形成装置から印刷することができないという問題があった。例えばユーザは一の事業所においてプリントサーバ装置に蓄積した印刷データを、他の事業所の画像形成装置から印刷できない。
【０００５】
なお、このような問題はプルプリントシステム等の印刷システムに限らず、ユーザが蓄積先に蓄積した出力データをプロジェクタやモニタなどの出力装置から出力する出力システムにおいても同様に存在する。
【０００６】
本発明の実施の形態は、上記の点に鑑みなされたもので、一の出力システムにおいて蓄積した出力データを他の出力システムから出力できる情報処理システム、端末装置及びプログラムを提供することを目的とする。
【課題を解決するための手段】
【０００７】
上記目的を達成するため、本願請求項１は、第一の出力システムと、第二の出力システムと、端末装置と、を有する情報処理システムであって、前記第一の出力システムは、前記第一の出力システムにおいて出力するために登録された出力データ及び情報を蓄積する第一蓄積手段と、ユーザから出力を行う前記第一蓄積手段に蓄積された前記出力データ及び情報の選択を受け付け、前記選択により前記第一蓄積手段から取得した前記出力データ及び情報に基づき出力処理を行う第一出力処理手段と、を有し、前記第二の出力システムは、前記第二の出力システムにおいて出力するために登録された出力データ及び情報を蓄積する第二蓄積手段と、ユーザから出力を行う前記第二蓄積手段に蓄積された前記出力データ及び情報の選択を受け付け、前記選択により前記第一蓄積手段から取得した前記出力データ及び情報に基づき出力処理を行う第二出力処理手段と、を有し、前記端末装置は、ユーザからの引取要求又は登録要求を受け付ける受付手段と、ユーザからの引取要求を受け付けた後、前記第一蓄積手段から前記出力データ及び情報を取得する取得手段と、ユーザからの登録要求を受け付けた後、前記取得手段が前記第一蓄積手段から取得した前記出力データ及び情報を前記第二の出力システムにおいて出力するために、前記第二蓄積手段に蓄積させる登録手段とを有することを特徴とする。
【発明の効果】
【０００８】
本発明の実施の形態によれば、一の出力システムにおいて蓄積した出力データを他の出力システムから出力できる。
【図面の簡単な説明】
【０００９】
【図１】本実施形態に係る情報処理システムの一例の構成図である。
【図２】本実施形態に係るコンピュータの一例のハードウェア構成図である。
【図３】本実施形態に係る画像形成装置の一例のハードウェア構成図である。
【図４】本実施形態に係るプリントサーバ装置の一例の処理ブロック図である。
【図５】本実施形態に係る携帯端末の一例の処理ブロック図である。
【図６】本実施形態に係る画像形成装置の一例の処理ブロック図である。
【図７】本実施形態に係るクライアントＰＣ端末の一例の処理ブロック図である。
【図８】ジョブ蓄積プラグインの一例の処理ブロック図である。
【図９】初期設定情報の一例の構成図である。
【図１０】初期設定画面の一例の画面遷移図である。
【図１１】書誌情報の一例の構成図である。
【図１２】自オフィスにおける印刷操作の一例の説明図である。
【図１３】ホーム画面の一覧のイメージ図である。
【図１４】引取操作における画面の一例のイメージ図である。
【図１５】自オフィスにおける引取操作の一例の説明図である。
【図１６】登録操作における画面の一例のイメージ図である。
【図１７】出張先オフィスにおける登録操作の一例の説明図である。
【図１８】出張先オフィスにおける登録操作の他の例の説明図である。
【図１９】出張先オフィスにおける印刷操作の一例の説明図である。
【図２０】出張先オフィスにおける印刷操作の他の例の説明図である。
【図２１】元に戻す操作における画面の一例のイメージ図である。
【図２２】自オフィスにおける引取処理の一例を表したシーケンス図である。
【図２３】出張先オフィスにおける登録処理の一例を表したシーケンス図である。
【図２４】出張先オフィスにおける登録処理の他の例を表したシーケンス図である。
【図２５】出張先オフィスにおける印刷処理の一例を表したシーケンス図である。
【発明を実施するための形態】
【００１０】
次に、本発明の実施の形態について、詳細に説明する。なお、本実施形態では出力システムの一例としての印刷システムを例として説明するが、印刷システムに限定するものではない。出力システムは例えば投影システムや表示システムの他、蓄積先に蓄積してある出力データを出力するシステムであればよい。
【００１１】
また、本実施形態では、一の出力システムの一例としてユーザの自オフィスの印刷システム２を示し、他の出力システムの一例として出張先オフィスの印刷システム３を示している。本実施形態では自オフィスの印刷システム２において蓄積された印刷データを出張先オフィスの印刷システム３において印刷する例について説明する。
［第１の実施形態］
＜システム構成＞
図１は、本実施形態に係る情報処理システムの一例の構成図である。情報処理システム１は自オフィスの印刷システム２、出張先オフィスの印刷システム３を有する。
【００１２】
自オフィスの印刷システム２はＬＡＮなどのネットワーク１７Ａを介して接続されたプリントサーバ装置１０Ａ、携帯端末１１、画像形成装置１２Ａ、クライアントＰＣ端末１３Ａを有する。プリントサーバ装置１０Ａ、携帯端末１１、画像形成装置１２Ａ、クライアントＰＣ端末１３Ａは無線又は有線による通信手段を有している。図１では、プリントサーバ装置１０Ａ、携帯端末１１、画像形成装置１２Ａ、クライアントＰＣ端末１３Ａが１台である例を示しているが、複数台あってもよい。
【００１３】
また、出張先オフィスの印刷システム３はＬＡＮなどのネットワーク１７Ｂを介して接続されたプリントサーバ装置１０Ｂ、携帯端末１１、画像形成装置１２Ｂ、クライアントＰＣ端末１３Ｂを有する。なお、出張先オフィスの印刷システム３に含まれる携帯端末１１は自オフィスの印刷システム２に含まれる携帯端末１１が移動してきたものである。
【００１４】
プリントサーバ装置１０Ｂ、画像形成装置１２Ｂ、クライアントＰＣ端末１３Ｂは無線又は有線による通信手段を有している。図１ではプリントサーバ装置１０Ｂ、画像形成装置１２Ｂ、クライアントＰＣ端末１３Ｂが１台である例を示しているが、複数台あってもよい。
【００１５】
以下、プリントサーバ装置１０Ａ及び１０Ｂの何れでもよい場合は単にプリントサーバ装置１０と呼ぶことがある。画像形成装置１２Ａ及び１２Ｂの何れでもよい場合は単に画像形成装置１２と呼ぶことがある。クライアントＰＣ端末１３Ａ及び１３Ｂの何れでもよい場合は単にクライアントＰＣ端末１３と呼ぶことがある。
【００１６】
プリントサーバ装置１０は一台以上の情報処理装置により実現される。プリントサーバ装置１０は印刷データや書誌情報を保有している。プリントサーバ装置１０は画像形成装置１２からの要求に基づき、印刷データや書誌情報を画像形成装置１２に送信する。
【００１７】
携帯端末１１は自オフィスの印刷システム２から出張先オフィスの印刷システム３に運ばれる情報処理装置の一例である。携帯端末１１はスマートフォンや携帯電話、ＰＣなどの端末装置である。携帯端末１１はインターネットなどのネットワーク１８を介してストレージサービスサーバ装置１５と接続可能である。ストレージサービスサーバ装置１５はストレージサービスを提供するサーバ装置の一例である。ストレージサービスは、例えばクラウドサービスの形態を取ることができる。携帯端末１１は印刷データや書誌情報をストレージサービスサーバ装置１５に保存することができ、ストレージサービスサーバ装置１５に保存されている印刷データや書誌情報を引き取ることができる。
【００１８】
画像形成装置１２は印刷データや書誌情報を取得し、印刷データの出力を行う出力装置の一例である。画像形成装置１２はプリンタ、コピー機、複合機、レーザプリンタ等の印刷装置の他、プロジェクタやモニタ等の表示出力を行う投影装置や表示装置、オーディオ等の音声データを出力する音声出力装置であってもよい。
【００１９】
なお、図１の情報処理システム１では、自オフィスの印刷システム２に設置されている画像形成装置１２Ａがプリントサーバ装置１０Ａから書誌情報を取得し、その書誌情報に示された蓄積場所から印刷データを取得するものとする。また、図１の情報処理システム１では、出張先オフィスの印刷システム３に設置されている画像形成装置１２Ｂがプリントサーバ装置１０Ｂから書誌情報を取得し、その書誌情報に示されている蓄積場所から印刷データを取得するものとする。つまり、出張先オフィスの印刷システム３に設置されている画像形成装置１２Ｂは自オフィスの印刷システム２に設置されているプリントサーバ装置１０Ａから書誌情報を取得できない。
【００２０】
クライアントＰＣ端末１３はユーザが利用する情報処理装置である。クライアントＰＣ端末１３はスマートフォンや携帯電話、ＰＣなどの端末装置である。クライアントＰＣ端末１３はユーザから印刷データや書誌情報の蓄積要求を受け付ける端末装置である。
【００２１】
なお、図１の情報処理システム１の構成は一例であり、他の構成であってもよい。
【００２２】
＜ハードウェア構成＞
図１のプリントサーバ装置１０、携帯端末１１、クライアントＰＣ端末１３は、例えば図２に示すハードウェア構成のコンピュータにより実現される。図２は、本実施形態に係るコンピュータの一例のハードウェア構成図である。
【００２３】
図２に示したコンピュータ１００は、入力装置１０１、表示装置１０２、外部Ｉ／Ｆ１０３、ＲＡＭ１０４、ＲＯＭ１０５、ＣＰＵ１０６、通信Ｉ／Ｆ１０７、及びＨＤＤ１０８などを備え、それぞれがバスＢで相互に接続されている。なお、入力装置１０１及び表示装置１０２は必要なときに接続して利用する形態であってもよい。
【００２４】
入力装置１０１はキーボードやマウス、タッチパネルなどを含み、ユーザが各操作信号を入力するのに用いられる。表示装置１０２はディスプレイなどを含み、コンピュータ１００による処理結果を表示する。
【００２５】
通信Ｉ／Ｆ１０７はコンピュータ１００をネットワーク１７、１８等に接続するインタフェースである。これにより、コンピュータ１００は通信Ｉ／Ｆ１０７を介してデータ通信を行うことができる。
【００２６】
ＨＤＤ１０８はプログラムやデータを格納している不揮発性の記憶装置である。格納されるプログラムやデータは、例えばコンピュータ１００全体を制御する基本ソフトウェアであるＯＳや、ＯＳ上において各種機能を提供するアプリケーションソフトウェアなどである。
【００２７】
外部Ｉ／Ｆ１０３は、外部装置とのインタフェースである。外部装置には、記録媒体１０３ａなどがある。これにより、コンピュータ１００は外部Ｉ／Ｆ１０３を介して記録媒体１０３ａの読み取り及び／又は書き込みを行うことができる。記録媒体１０３ａにはフレキシブルディスク、ＣＤ、ＤＶＤ、ＳＤメモリカード、ＵＳＢメモリなどがある。
【００２８】
ＲＯＭ１０５は、電源を切ってもプログラムやデータを保持することができる不揮発性の半導体メモリ（記憶装置）である。ＲＯＭ１０５には、コンピュータ１００の起動時に実行されるＢＩＯＳ、ＯＳ設定、及びネットワーク設定などのプログラムやデータが格納されている。ＲＡＭ１０４は、プログラムやデータを一時保持する揮発性の半導体メモリである。
【００２９】
ＣＰＵ１０６は、ＲＯＭ１０５やＨＤＤ１０８などの記憶装置からプログラムやデータをＲＡＭ１０４上に読み出し、処理を実行することで、コンピュータ１００全体の制御や機能を実現する演算装置である。
【００３０】
本実施形態に係るプリントサーバ装置１０、携帯端末１１、クライアントＰＣ端末１３は上記したコンピュータ１００のハードウェア構成により後述するような各種処理を実現できる。
【００３１】
図１の画像形成装置１２は、例えば図３に示すようなハードウェア構成のコンピュータにより実現される。図３は本実施形態に係る画像形成装置の一例のハードウェア構成図である。図３に示した画像形成装置１２は、コントローラ２０１、操作パネル２０２、外部Ｉ／Ｆ２０３、通信Ｉ／Ｆ２０４、プリンタ２０５及びスキャナ２０６などを備える。
【００３２】
コントローラ２０１はＣＰＵ２１１、ＲＡＭ２１２、ＲＯＭ２１３、ＮＶＲＡＭ２１４及びＨＤＤ２１５などを備える。ＲＯＭ２１３は、各種プログラムやデータが格納されている。ＲＡＭ２１２はプログラムやデータを一時保持する。ＮＶＲＡＭ２１４は、例えば設定情報等が格納されている。また、ＨＤＤ２１５は各種プログラムやデータが格納されている。
【００３３】
ＣＰＵ２１１は、ＲＯＭ２１３やＮＶＲＡＭ２１４、ＨＤＤ２１５などからプログラムやデータ、設定情報等をＲＡＭ２１２上に読み出し、処理を実行することで、画像形成装置１２全体の制御や機能を実現する。
【００３４】
操作パネル２０２はユーザからの入力を受け付ける入力部と、表示を行う表示部とを備えている。外部Ｉ／Ｆ２０３は外部装置とのインタフェースである。外部装置には、記録媒体２０３ａなどがある。これにより、画像形成装置１２は外部Ｉ／Ｆ２０３を介して記録媒体２０３ａの読み取り及び／又は書き込みを行うことができる。記録媒体２０３ａにはＩＣカード、フレキシブルディスク、ＣＤ、ＤＶＤ、ＳＤメモリカード、ＵＳＢメモリ等がある。
【００３５】
通信Ｉ／Ｆ２０４は、画像形成装置１２をネットワーク１７に接続するインタフェースである。これにより、画像形成装置１２は通信Ｉ／Ｆ２０４を介してデータ通信を行うことができる。プリンタ２０５は、印刷データを用紙に印刷するための印刷装置である。スキャナ２０６は原稿から画像データ（電子データ）を読み取るための読取装置である。
【００３６】
＜ソフトウェア構成＞
《プリントサーバ装置》
本実施形態に係るプリントサーバ装置１０は、例えば図４に示す処理ブロックにより実現される。図４は本実施形態に係るプリントサーバ装置の一例の処理ブロック図である。
【００３７】
プリントサーバ装置１０はプログラムを実行することで、書誌情報登録部２２、書誌情報提供部２３、印刷データ登録部２４、印刷データ提供部２５、書誌情報保持部２６及び印刷データ保持部２７を実現している。
【００３８】
書誌情報登録部２２は携帯端末１１、クライアントＰＣ端末１３から書誌情報の登録要求を受け付けて書誌情報の登録処理を行う。書誌情報提供部２３は携帯端末１１、画像形成装置１２からの要求に基づき、書誌情報を提供する。印刷データ登録部２４は携帯端末１１、クライアントＰＣ端末１３から印刷データの登録要求を受け付けて印刷データの登録処理を行う。印刷データ提供部２５は携帯端末１１、画像形成装置１２からの要求に基づき、印刷データを提供する。書誌情報保持部２６は書誌情報を保持する。また、印刷データ保持部２７は印刷データを保持する。
【００３９】
《携帯端末》
本実施形態に係る携帯端末１１は、例えば図５に示す処理ブロックにより実現することができる。図５は本実施形態に係る携帯端末の一例の処理ブロック図である。
【００４０】
携帯端末１１はプログラムを実行することで、書誌情報取得部３１、印刷データ取得部３２、ストレージサービス保存部３３、ストレージサービス取得部３４、書誌情報登録部３５、印刷データ登録部３６、初期設定登録受付部３７、印刷データ提供部３８、初期設定情報保存部３９を実現している。
【００４１】
書誌情報取得部３１はプリントサーバ装置１０に書誌情報の取得要求を行い、書誌情報を取得する。印刷データ取得部３２はプリントサーバ装置１０又はクライアントＰＣ端末１３に印刷データの取得要求を行い、印刷データを取得する。
【００４２】
ストレージサービス保存部３３は書誌情報、印刷データの保存要求をストレージサービスサーバ装置１５に対して行い、書誌情報、印刷データをストレージサービスサーバ装置１５に保存させる。
【００４３】
ストレージサービス取得部３４は書誌情報、印刷データの取得要求をストレージサービスサーバ装置１５に対して行い、書誌情報、印刷データをストレージサービスサーバ装置１５から取得する。
【００４４】
書誌情報登録部３５はプリントサーバ装置１０に対して書誌情報の登録を要求し、書誌情報をプリントサーバ装置１０に登録させる。印刷データ登録部３６はプリントサーバ装置１０に対して印刷データの登録を要求し、印刷データをプリントサーバ装置１０に登録させる。
【００４５】
初期設定登録受付部３７は、後述するような初期設定画面から初期設定の登録を受け付ける。印刷データ提供部３８は画像形成装置１２からの要求に基づき、印刷データを提供する。
【００４６】
なお、要求された印刷データがストレージサービスサーバ装置１５に保存されている場合、印刷データ提供部３８はストレージサービス取得部３４にストレージサービスサーバ装置１５から印刷データを取得させ、その印刷データを画像形成装置１２に提供する。初期設定情報保存部３９は初期設定画面から登録を受け付けた初期設定情報を保存する。
【００４７】
《画像形成装置》
本実施形態に係る画像形成装置１２は、例えば図６に示すような処理ブロックにより実現される。図６は本実施形態に係る画像形成装置の一例の処理ブロック図である。
【００４８】
画像形成装置１２はプログラムを実行することにより、操作受付部４１、ログイン処理部４２、書誌情報取得要求部４３、ジョブ選択受付部４４、印刷データ取得要求部４５及び印刷処理部４６を実現している。
【００４９】
操作受付部４１はユーザからの操作を受け付ける。ログイン処理部４２はユーザからのログイン操作を受け付け、ログイン処理を行う。書誌情報取得要求部４３は書誌情報の取得をプリントサーバ装置１０に要求し、書誌情報を取得する。ジョブ選択受付部４４は書誌情報に基づくジョブリストからジョブの選択を受け付ける。
【００５０】
印刷データ取得要求部４５は、ユーザにより選択されたジョブの印刷データの蓄積先を書誌情報から判断する。印刷データ取得要求部４５は、ユーザにより選択されたジョブの印刷データの蓄積先であるプリントサーバ装置１０、携帯端末１１又はクライアントＰＣ端末１３に印刷データの取得を要求し、選択されたジョブの印刷データを取得する。印刷処理部４６は取得した印刷データを書誌情報に従ってプリンタ２０５から印刷する印刷処理を行う。
【００５１】
《クライアントＰＣ端末》
本実施形態に係るクライアントＰＣ端末１３は、例えば図７に示す処理ブロックにより実現される。図７は、本実施形態に係るクライアントＰＣ端末の一例の処理ブロック図である。
【００５２】
図７のクライアントＰＣ端末１３は、プログラムを実行することにより、文書作成アプリケーション６１、仮想プリンタドライバ６２、実プリンタドライバ６３、プラグイン６４、プラットフォームＡＰＩ６５、プラットフォーム６６、記憶部６７を実現する。プラグイン６４は印刷フロープラグイン７１、ジョブ蓄積プラグイン７２を有する。プラットフォーム６６は表示制御（ＵＩ制御）部８１、設定部８２、通信部８３を有する。
【００５３】
文書作成アプリケーション６１はユーザから印刷の要求を受け付けるアプリケーションの一例である。文書作成アプリケーション６１は一例であって、ユーザから印刷等の出力の要求を受け付けるアプリケーションであればよい。
【００５４】
仮想プリンタドライバ６２はアプリケーションデータを機種依存しない中間形式の印刷データに変換して出力するプリンタドライバである。中間形式の印刷データは画像形成装置１２の機種に依存しない印刷データである。ＸＰＳ（XML Paper Specification）形式のデータは中間形式の印刷データの一例である。また、アプリケーションデータは出力対象データの一例である。
【００５５】
実プリンタドライバ６３は、アプリケーションデータ又は中間形式の印刷データを画像形成装置１２が印刷できる実形式の印刷データに変換して出力するプリンタドライバである。ＲＡＷ形式のデータは、実形式の印刷データの一例である。
【００５６】
なお、アプリケーションデータ等の印刷対象データ、中間形式又は実形式の印刷データ等は、ユーザが印刷を要求してから画像形成装置１２で印刷されるまでの間、印刷の対象として取り扱われる印刷データと捉えることができる。
【００５７】
したがって、印刷の要求から印刷の実行までにどのようなデータ形式となっているかは関係なく、アプリケーションデータ、中間形式の印刷データ、実形式の印刷データ等は全て印刷対象データと言える。なお、出力データは印刷出力に利用する印刷データに限ることなく、表示（投影）出力に利用するデータ（表示（画像）データなど）や、音声出力に利用するデータ（音声データなど）であってもよい。出力データは印刷、表示、音声再生等の１または複数の出力用途に応じた出力データできる。
【００５８】
プラグイン６４はプラットフォーム６６上で動作するソフトウェアである。プラグイン６４はプラットフォームＡＰＩ６５を利用することで、プラットフォーム６６の機能を利用できる。プラグイン６４の印刷フロープラグイン７１は印刷フロー制御を行う。ジョブ蓄積プラグイン７２はジョブの蓄積、管理を行う。
【００５９】
プラットフォームＡＰＩ６５はプラグイン６４が、プラットフォーム６６の機能を利用するためのインタフェースである。プラットフォームＡＰＩ６５はプラグイン６４からの要求をプラットフォーム６６が受信するために設けられた予め定義されたインタフェースであり、例えば関数やクラス等により構成される。
【００６０】
プラットフォーム６６の表示制御部８１は例えば文書作成アプリケーション６１やプラグイン６４等からの要求に基づいて表示装置１０２の表示を制御する。設定部８２はプラグイン６４の設定を行う。通信部８３はプリントサーバ装置１０、携帯端末１１、画像形成装置１２等との通信を実行する。記憶部６７は設定等を記憶する。
【００６１】
クライアントＰＣ端末１３はプラグイン６４が共通に利用する機能をプラットフォーム６６に集約することで、処理を集約している。なお、図７の処理ブロック図の分類形態は一例であり、図７に示されるような階層で分類されていることは必須でない。プラグイン６４は管理者やユーザが所望するものを適宜インストールして使用できる。したがって、クライアントＰＣ端末１３は必ず印刷フロープラグイン７１及びジョブ蓄積プラグイン７２を備えていなければならないわけではない。
【００６２】
クライアントＰＣ端末１３のジョブ蓄積プラグイン７２は図８に示す処理ブロックで実現される。図８はジョブ蓄積プラグインの一例の処理ブロック図である。ジョブ蓄積プラグイン７２は、書誌情報登録要求部９１、印刷データ提供部９２、印刷データ保存部９３を有している。書誌情報登録要求部９１はプリントサーバ装置１０に対して書誌情報の登録要求を行い、書誌情報をプリントサーバ装置１０に登録する。印刷データ提供部９２は携帯端末１１、画像形成装置１２から印刷データの取得要求を受け付け、印刷データを提供する。また、印刷データ提供部９２はプリントサーバ装置１０に印刷データを保存する場合、プリントサーバ装置１０に対して印刷データの登録要求を行い、印刷データをプリントサーバ装置１０に登録する。印刷データ保存部９３は印刷データを保存する。
【００６３】
《初期設定情報》
図９は初期設定情報の一例の構成図である。図９の初期設定情報は後述する初期設定画面から登録される。初期設定情報は、プロファイル名と、書誌情報取得元のホスト名及びポートと、印刷データの保存先と、元データを残す／残さないの情報と、書誌情報登録先のホスト名及びポートと、印刷データ登録先と、を有する。
【００６４】
プロファイル名は初期設定情報を識別する情報の一例である。書誌情報取得元のホスト名及びポートは書誌情報を取得するプリントサーバ装置１０のホスト名及びポートを表している。印刷データの保存先は、取得した印刷データを携帯端末１１に保存するのかストレージサービスサーバ装置１５に保存するのかを表している。
【００６５】
元データを残す／残さないの情報は取得した書誌情報や印刷データの元データを残すか残さないかを表している。書誌情報登録先のホスト名及びポートは書誌情報を登録するプリントサーバ装置１０のホスト名及びポートを表している。印刷データ登録先は書誌情報登録先と同じ登録先に印刷データを登録するのか、携帯端末１１に印刷データを登録するのか（移動しないのか）を表している。
【００６６】
図１０は初期設定画面の一例の画面遷移図である。携帯端末１１の初期設定登録受付部３７は図１０の初期設定画面１０００〜１０３０を表示し、ユーザから初期設定情報の登録を受け付ける。
【００６７】
初期設定画面１０００は登録済みの初期設定情報の一覧を表示する。新たな初期設定情報を登録する場合、ユーザは追加ボタン１００１を押下し、初期設定画面１０１０を表示する。初期設定画面１０１０はユーザからプロファイル名と、書誌情報取得元のホスト名及びポートと、印刷データの保存先と、元データを残す／残さないの情報と、書誌情報登録先のホスト名及びポートと、印刷データ登録先との登録を受け付ける。
【００６８】
初期設定画面１０１０の設定ボタン１０１１を押下することで、ユーザは印刷データの保存先として登録可能なストレージサービスサーバ装置１５を選択できる初期設定画面１０３０を表示できる。ユーザは初期設定画面１０３０から印刷データの保存先としてストレージサービスサーバ装置１５を登録できる。なお、初期設定画面１０００の情報ボタン１００２を押下することで、ユーザは登録済みの初期設定情報の情報を表示する初期設定画面１０２０を表示できる。
【００６９】
《書誌情報》
図１１は書誌情報の一例の構成図である。図１１に示す書誌情報は、ジョブ名、ユーザＩＤ、印刷データ保存先、蓄積言語、ページ数、面設定、色情報、部数を有する。ジョブ名はジョブの名前であって、例えば印刷データの文書名である。ユーザ名はユーザを一意に識別するための情報である。印刷データ保存先は印刷データの保存先を表している。
【００７０】
蓄積言語は蓄積されている印刷データの形式を示している。例えば書誌情報は蓄積言語が「ＸＰＳ」である場合、中間形式の印刷データが蓄積されていることを示し、蓄積言語が「ＰＣＬ」である場合、実形式の印刷データが蓄積されていることを示す。
【００７１】
中間形式の印刷データとはフォーマットに関する共通仕様が一般に公開され、かつ、再編集が容易な形式の印刷データである。また、中間形式の印刷データのデータ形式はＸＰＳに限らない。中間形式の印刷データのデータ形式はＰＤＦ（Portable Document Format）等であってもよい。
【００７２】
一方、実形式の印刷データとは画像形成装置１２に依存した印刷データである。実形式の印刷データのデータ形式はＰＣＬに限らない。例えば実形式の印刷データのデータ形式はＰＳ（Post  Script）等であってもよい。
【００７３】
中間形式及び実形式の印刷データの性質の違いの一例としては印刷データの出力態様に関する設定の変更（出力データの編集）に対する自由度の違いが挙げられる。印刷データの出力態様に関する設定には、例えば両面／片面などの面設定やカラー／白黒などの色情報の設定、２ｉｎ１などの集約設定などがある。
【００７４】
例えばＸＰＳといった中間形式の印刷データであれば面設定変更、色情報の設定変更や集約設定変更が行える。ＰＣＬといった実形式の印刷データであれば面設定変更、色情報を白黒にする設定変更は行える一方で、白黒をカラーにする設定変更や集約設定変更は行えないといった設定変更の制約が生じる。中間形式の印刷データが再編集が容易な形式のデータであるとは、一つの側面として、このような出力態様に関する設定変更の自由度が挙げられる。
【００７５】
ページ数は印刷データのページ数を表す。面設定は印刷データの面数を表す。色情報は印刷データの色情報を表す。部数は印刷データの印刷時の部数を表す。例えばユーザがクライアントＰＣ端末１３から印刷操作を行うと、図１１に示すような書誌情報がプリントサーバ装置１０に登録される。
【００７６】
＜処理の詳細＞
以下では本実施形態に係る情報処理システム１の処理の詳細について説明する。ここでは自オフィスにおいて登録済みの書誌情報、印刷データを携帯端末１１に引き取り、出張先オフィスにおいて書誌情報、印刷データを再登録することで、出張先オフィスの画像形成装置１２Ｂにおいての印刷を可能とする処理について説明する。
【００７７】
《自オフィスにおける印刷操作》
図１２は自オフィスにおける印刷操作の一例の説明図である。ユーザはクライアントＰＣ端末１３Ａから印刷操作を行う。ユーザから印刷操作を受け付けたクライアントＰＣ端末１３Ａは書誌情報をプリントサーバ装置１０Ａに登録させる。また、クライアントＰＣ端末１３Ａは印刷データを自端末に登録する。なお、図１２では印刷データをクライアントＰＣ端末１３Ａに登録する例を示しているが、プリントサーバ装置１０Ａに登録してもよい。印刷データは例えば管理者の設定に従い、クライアントＰＣ端末１３Ａ又はプリントサーバ装置１０Ａに登録される。
【００７８】
《自オフィスにおける引取操作》
自オフィスにおける書誌情報、印刷データの引取操作は例えば図１３の初期設定画面１０００の初期設定情報の一覧から一つの初期設定情報を選択することで表示されるホーム画面１１００から開始できる。
【００７９】
図１３はホーム画面の一覧のイメージ図である。図１３のホーム画面１１００はダウンロードボタン１１０１、アップロードボタン１１０２、元に戻すボタン１１０３を有している。ダウンロードボタン１１０１は自オフィスにおける書誌情報、印刷データの引取操作を開始するためのボタンである。アップロードボタン１１０２は後述の出張先オフィスにおける書誌情報、印刷データの登録操作を開始するためのボタンである。元に戻すボタン１１０３は自オフィスにおいて引取操作を行った書誌情報、印刷データを自オフィスに戻す操作を開始するためのボタンである。ここではダウンロードボタン１１０１が押下されたものとして説明を続ける。
【００８０】
ダウンロードボタン１１０１が押下されると、携帯端末１１は例えば図１４に示すログイン画面１２００を表示し、ユーザ名及びパスワード等のユーザ特定情報を入力させることでユーザ認証を行う。
【００８１】
図１４は引取操作における画面の一例のイメージ図である。携帯端末１１はユーザ認証に成功すると、ユーザ認証に成功したログインユーザの印刷データ一覧画面１２１０を表示する。ユーザは印刷データ一覧画面１２１０から印刷データ１２１１を選択することで例えば印刷データ１２１１のプレビュー画面１２２０を表示させることもできる。ユーザは印刷データ一覧画面１２１０から引取操作を行う印刷データを選択し、移動ボタン１２１２を押下することで、印刷データの引取操作を開始できる。引取操作の開始後、携帯端末１１は例えば印刷データを移動中であることを知らせるメッセージ画面１２３０を表示する。
【００８２】
図１５は自オフィスにおける引取操作の一例の説明図である。携帯端末１１は初期設定情報の書誌情報取得元に示されるプリントサーバ装置１０Ａからログインユーザの書誌情報を取得する。携帯端末１１は取得した書誌情報に基づく印刷データ一覧画面１２１０を表示し、引取操作を行う印刷データを選択させる。
【００８３】
携帯端末１１は書誌情報の印刷データ保存先を参照し、その印刷データ保存先から選択された印刷データを取得する。図１５では印刷データ保存先がクライアントＰＣ端末１３Ａである例を示している。印刷データ保存先がプリントサーバ装置１０Ａである場合、携帯端末１１はプリントサーバ装置１０Ａから印刷データを取得する。なお、携帯端末１１が印刷データ保存先である場合、携帯端末１１は印刷データを取得済みである。
【００８４】
そして、携帯端末１１は取得した書誌情報及び印刷データをストレージサービスサーバ装置１５に保存させる。図１５では携帯端末１１が取得した書誌情報及び印刷データをストレージサービスサーバ装置１５に保存させる例を示したが、書誌情報又は印刷データの何れかをストレージサービスサーバ装置１５に保存するようにしてもよい。また、携帯端末１１は取得した書誌情報及び印刷データをストレージサービスサーバ装置１５に保存させることなく、自端末のストレージに保存してもよい。
【００８５】
なお、携帯端末１１が取得した書誌情報は初期設定情報の「元データを残す／残さないの情報」に従い、プリントサーバ装置１０Ａから削除するようにしてもよい。また、携帯端末１１が取得した印刷データも初期設定情報の「元データを残す／残さないの情報」に従い、印刷データ保存先から削除するようにしてもよい。
【００８６】
《出張先オフィスにおける登録操作》
出張オフィスにおける書誌情報、印刷データの登録操作は例えば図１３のホーム画面１１００のアップロードボタン１１０２を押下することで開始できる。アップロードボタン１１０２が押下されると、携帯端末１１は例えば図１６に示す印刷データ一覧画面１３００を表示する。
【００８７】
図１６は登録操作における画面の一例のイメージ図である。携帯端末１１は書誌情報に基づき、ユーザの印刷データ一覧画面１３００を表示する。ユーザは、印刷データ一覧画面１３００から印刷データ１３０１を選択することで、例えば印刷データ１３０１のプレビュー画像１３１０を表示させることもできる。
【００８８】
ユーザは印刷データ一覧画面１３００から登録操作を行う印刷データを選択し、移動ボタン１３０２を押下することで、印刷データの登録操作を開始できる。印刷データの登録操作の開始後、携帯端末１１は印刷データを移動中であることを知らせるメッセージ画面１３２０を表示する。
【００８９】
図１７は出張先オフィスにおける登録操作の一例の説明図である。図１７はストレージサービスサーバ装置１５から書誌情報及び印刷データを取得した携帯端末１１が、書誌情報及び印刷データをプリントサーバ装置１０Ｂに登録する例を示している。携帯端末１１は初期設定情報の印刷データの保存先に示されるストレージサービスサーバ装置１５から書誌情報を取得する。携帯端末１１は取得した書誌情報に基づく印刷データ一覧画面１３００を表示し、登録操作を行う印刷データを選択させる。
【００９０】
携帯端末１１は選択された書誌情報の印刷データ保存先を参照し、その印刷データ保存先であるストレージサービスサーバ装置１５から印刷データを取得する。携帯端末１１は初期設定情報の書誌情報登録先及び印刷データ登録先に示されるプリントサーバ装置１０Ｂに書誌情報及び印刷データを登録する。
【００９１】
図１８は出張先オフィスにおける登録操作の他の例の説明図である。図１８は書誌情報をストレージサービスサーバ装置１５から取得した携帯端末１１が、書誌情報をプリントサーバ装置１０Ｂに登録する例を示している。図１８において携帯端末１１はストレージサービスサーバ装置１５から印刷データを取得せず、ストレージサービスサーバ装置１５に保存したままとする。携帯端末１１は初期設定情報の印刷データの保存先に示されるストレージサービスサーバ装置１５から書誌情報を取得する。
【００９２】
携帯端末１１は初期設定情報の書誌情報登録先に示されるプリントサーバ装置１０Ｂに書誌情報を登録する。なお、このときプリントサーバ装置１０Ｂに登録される書誌情報の印刷データ保存先には、実際に印刷データが保存されているストレージサービスサーバ装置１５ではなく携帯端末１１を設定しておく。
【００９３】
《出張先オフィスにおける印刷操作》
ユーザは画像形成装置１２Ｂにログインすることで出張先オフィスにおける印刷操作を開始できる。図１９は出張先オフィスにおける印刷操作の一例の説明図である。図１９は書誌情報及び印刷データがプリントサーバ装置１０Ｂに保存されている場合の例を示している。
【００９４】
画像形成装置１２Ｂはプリントサーバ装置１０Ｂから書誌情報を取得する。画像形成装置１２Ｂは書誌情報に基づくジョブリストを操作パネル２０２に表示し、ユーザから印刷を行うジョブの選択を受け付ける。画像形成装置１２Ｂはユーザにより選択されたジョブの印刷データの保存先を書誌情報から判断する。ここでは、ジョブの印刷データの保存先であるプリントサーバ装置１０Ｂから印刷データを取得する。画像形成装置１２Ｂは取得した印刷データを書誌情報に従ってプリンタ２０５から印刷する。
【００９５】
なお、図１９では書誌情報及び印刷データがプリントサーバ装置１０Ｂに保存されている例を示したが、印刷データが携帯端末１１やクライアントＰＣ端末１３Ｂに保存されていてもよい。
【００９６】
図２０は出張先オフィスにおける印刷操作の他の例の説明図である。図２０は書誌情報がプリントサーバ装置１０Ｂに保存され、印刷データがストレージサービスサーバ装置１５に保存されている場合の例を示している。
【００９７】
画像形成装置１２Ｂはプリントサーバ装置１０Ｂから書誌情報を取得する。画像形成装置１２Ｂは書誌情報に基づくジョブリストを操作パネル２０２に表示し、ユーザから印刷を行うジョブの選択を受け付ける。画像形成装置１２Ｂはユーザにより選択されたジョブの印刷データの保存先を書誌情報から判断する。ここでは、ジョブの印刷データの保存先として設定されている携帯端末１１に印刷データの取得要求を行う。
【００９８】
携帯端末１１は画像形成装置１２Ｂから印刷データの取得要求を受けると、実際の印刷データの保存先であるストレージサービスサーバ装置１５から印刷データを取得し、その印刷データを画像形成装置１２Ｂに提供する。画像形成装置１２Ｂは携帯端末１１から取得した印刷データを書誌情報に従ってプリンタ２０５から印刷する。
【００９９】
《自オフィスにおける「元に戻す」操作》
自オフィスにおいて引取操作を行った書誌情報、印刷データを自オフィスに戻す操作を開始する場合、ユーザはホーム画面１１００の「元に戻すボタン」１１０３を押下することで、自オフィスにおける「元に戻す」操作を開始する。
【０１００】
「元に戻すボタン」１１０３が押下されると、携帯端末１１は例えば印刷データを移動中であることを知らせる図２１に示すメッセージ画面１４００を表示する。図２１は元に戻す操作における画面の一例のイメージ図である。
【０１０１】
なお、図２１のホーム画面１１００における「元に戻すボタン」１１０３は初期設定情報の「元データを残す／残さないの情報」が「元データを残さない」に設定されているときに選択可能な状態としてもよい。
【０１０２】
《自オフィスにおける引取処理のシーケンス図》
図２２は自オフィスにおける引取処理の一例を表したシーケンス図である。図２２のシーケンス図は印刷データ保存先がクライアントＰＣ端末１３Ａである場合を一例として示している。ユーザは例えば印刷データ一覧画面１２１０から引取処理を行う印刷データを選択し、移動ボタン１２１２を押下することで、印刷データの引取処理を開始できる。
【０１０３】
ステップＳ１１において、携帯端末１１の書誌情報取得部３１はプリントサーバ装置１０Ａからユーザの書誌情報を取得する。取得した書誌情報に基づき、印刷データ取得部３２は印刷データ一覧画面１２１０を表示し、引取処理を行う印刷データをユーザに選択させてもよい。
【０１０４】
ステップＳ１２において、印刷データ取得部３２は取得した書誌情報の印刷データ保存先を参照し、その印刷データ保存先から印刷データを取得する。ステップＳ１３においてストレージサービス保存部３３は印刷データ保存先から取得した印刷データをストレージサービスサーバ装置１５に保存させる。なお、ステップＳ１２、Ｓ１３の処理はジョブごとに行われる。ストレージサービスサーバ装置１５への印刷データの保存が全て完了したあと、ストレージサービスサーバ装置１５はステップＳ１４においてストレージサービスサーバ装置１５に書誌情報を保存させる。
【０１０５】
なお、ストレージサービス保存部３３は初期設定情報の「元データを残す／残さないの情報」が「元データを残さない」に設定されている場合、ステップＳ１４の後、プリントサーバ装置１０Ａに印刷データの削除を要求する。プリントサーバ装置１０Ａは削除の要求があった印刷データの書誌情報を削除し、更に、削除の要求があった印刷データの削除をクライアントＰＣ端末１３Ａに要求する。
【０１０６】
《出張先オフィスにおける登録処理のシーケンス図》
図２３は出張先オフィスにおける登録処理の一例を表したシーケンス図である。図２３のシーケンス図は図１７に対応するものであり、印刷データ登録先がプリントサーバ装置１０Ｂである場合を一例として示している。ユーザは例えばホーム画面１１００のアップロードボタン１１０２を押下することで、印刷データの登録処理を開始できる。
【０１０７】
ステップＳ２１において、携帯端末１１のストレージサービス取得部３４はストレージサービスサーバ装置１５からユーザの書誌情報を取得する。ストレージサービス取得部３４は取得した書誌情報に基づき、印刷データ一覧画面１３００を表示し、登録処理を行う印刷データをユーザに選択させてもよい。
【０１０８】
ステップＳ２２において、ストレージサービス取得部３４はストレージサービスサーバ装置１５からユーザの印刷データを取得する。ステップＳ２３において、書誌情報登録部３５は初期設定情報の書誌情報登録先に示されるプリントサーバ装置１０Ｂに書誌情報を登録する。また、印刷データ登録部３６は初期設定情報の印刷データ登録先に示されるプリントサーバ装置１０Ｂに印刷データを登録する。
【０１０９】
図２４は出張先オフィスにおける登録処理の他の例を表したシーケンス図である。図２４のシーケンス図は図１８に対応するものであり、印刷データ登録先がストレージサービスサーバ装置１５である場合を一例として示している。ユーザは例えばホーム画面１１００のアップロードボタン１１０２を押下し、印刷データの登録処理を開始する。
【０１１０】
ステップＳ３１において、携帯端末１１のストレージサービス取得部３４はストレージサービスサーバ装置１５からユーザの書誌情報を取得する。なお、ストレージサービス取得部３４はストレージサービスサーバ装置１５から印刷データを取得しない。ステップＳ３２において、書誌情報登録部３５は初期設定情報の書誌情報登録先に示されるプリントサーバ装置１０Ｂに書誌情報を登録する。
【０１１１】
図２４のシーケンス図ではストレージサービスサーバ装置１５に保存されている書誌情報をプリントサーバ装置１０Ｂに登録するものである。したがって、図２４のシーケンス図では印刷データがストレージサービスサーバ装置１５に保存されたままとなる。
【０１１２】
このため、プリントサーバ装置１０Ｂに登録された書誌情報の印刷データ保存先には実際に印刷データが保存されているストレージサービスサーバ装置１５ではなく携帯端末１１を設定しておく。
【０１１３】
《出張先オフィスにおける印刷処理のシーケンス図》
図２５は出張先オフィスにおける印刷処理の一例を表したシーケンス図である。図２５のシーケンス図は図２０に対応するものであり、印刷データ登録先がストレージサービスサーバ装置１５である場合を一例として示している。
【０１１４】
ステップＳ４１において、ユーザは画像形成装置１２Ｂにログインすることで出張先オフィスにおける印刷処理を開始できる。ステップＳ４２において、画像形成装置１２Ｂの書誌情報取得要求部４３はプリントサーバ装置１０Ｂからログインユーザの書誌情報を取得する。
【０１１５】
ステップＳ４３において、画像形成装置１２Ｂのジョブ選択受付部４４は書誌情報に基づくジョブリストを操作パネル２０２に表示し、ユーザから印刷を行うジョブの選択を受け付ける。
【０１１６】
ステップＳ４４において、画像形成装置１２Ｂの印刷データ取得要求部４５はユーザにより選択されたジョブの印刷データの保存先を書誌情報から判断する。印刷データ取得要求部４５はジョブの印刷データの保存先として設定されている携帯端末１１に印刷データの取得要求を行う。
【０１１７】
ステップＳ４５において、携帯端末１１の印刷データ提供部３８は画像形成装置１２Ｂから印刷データの取得要求を受ける。印刷データ提供部３８は実際の印刷データの保存先であるストレージサービスサーバ装置１５からの印刷データの取得をストレージサービス取得部３４に要求し、印刷データを取得する。
【０１１８】
印刷データ提供部３８は取得した印刷データを画像形成装置１２Ｂに提供する。画像形成装置１２Ｂは携帯端末１１から取得した印刷データを書誌情報に従ってプリンタ２０５から印刷する。
【０１１９】
＜まとめ＞
本実施形態に係る情報処理システム１では、自オフィスの印刷システム２において蓄積した印刷データを携帯端末１１が引き取り、その携帯端末１１を出張先オフィスの印刷システム３に移動させる。また、本実施形態に係る情報処理システム１は携帯端末１１が引き取った印刷データを出張先オフィスの印刷システム３に蓄積し直す。
【０１２０】
したがって、本実施形態に係る情報処理システム１は、自オフィスの印刷システム２に蓄積されていた印刷データを携帯端末１１に引き取り、出張先オフィスの印刷システム３に蓄積し直すことで、出張先オフィスの画像形成装置１２Ｂから印刷できる。
【０１２１】
なお、本実施形態に係る情報処理システム１では携帯端末１１が引き取った書誌情報や印刷データをストレージサービスサーバ装置１５に保存できるようにしたことで、携帯端末１１のストレージに必要な記憶容量を減少させることができる。
【０１２２】
本実施形態に係る情報処理システム１は自オフィスの印刷システム２に蓄積したジョブを出張先オフィスの印刷システム３に登録し直すことが容易にできるので、ジョブの数が多くても、自オフィスの印刷システム２で予め印刷の準備をしておくことができる。
【０１２３】
本発明は、具体的に開示された上記の実施形態に限定されるものではなく、特許請求の範囲から逸脱することなく、種々の変形や変更が可能である。本発明の適用範囲は印刷用途に限らず、上述した印刷システム２、３は、出力システムの一例である。よって本発明の適用範囲は印刷データや書誌情報を取り扱う出力システムに限らない。携帯端末１１はユーザから引取操作や登録操作を受け付ける端末装置の一例である。画像形成装置１２は印刷データ等の出力データ及び書誌情報等の出力データに関する情報に基づき出力処理を行う出力装置の一例である。
【０１２４】
プリントサーバ装置１０は印刷データ等の出力データや書誌情報等の出力データに関する情報である出力データ関連情報を蓄積（保持）し、出力装置に提供する蓄積装置の一例である。
【０１２５】
したがって、プリントサーバ装置１０は例えば出力装置がプロジェクタであれば、プロジェクタを用いて表示出力（投影）したい表示データ（出力データ）を保持し、表示出力する際の表示方法等の設定（出力データ関連情報）を保持することもできる。また、プリントサーバ装置１０は印刷データと表示データの両方を保持することもできる。プリントサーバ装置１０は印刷データを印刷出力する複合機や表示データを表示するプロジェクタ等、異なる出力データを出力する複数の出力装置に対して出力装置に応じた出力データや出力データ関連情報等を送信することもできる。
【０１２６】
書誌情報取得部３１、印刷データ取得部３２は、第一蓄積手段から出力データ及び情報を取得する取得手段の一例である。ストレージサービス保存部３３、書誌情報登録部３５及び印刷データ登録部３６は、第一蓄積手段から取得した出力データ及び情報を第二の出力システムにおいて出力するために登録し、第二蓄積手段に蓄積させる登録手段の一例である。書誌情報の印刷データ保存先は出力データの保存先情報の一例である。
【０１２７】
書誌情報取得元のホスト名及びポートと書誌情報登録先のホスト名及びポートとは接続情報の一例である。携帯端末１１の内部のストレージは第三蓄積手段の一例である。ストレージサービスサーバ装置１５は第四蓄積手段の一例である。また、ユーザが印刷データ一覧画面１２１０から引取処理を行う印刷データを選択し、移動ボタン１２１２を押下する操作はユーザからの引取要求の一例である。
【符号の説明】
【０１２８】
１    情報処理システム
２、３    印刷システム
１０、１０Ａ、１０Ｂ    プリントサーバ装置
１１    携帯端末
１２、１２Ａ、１２Ｂ    画像形成装置
１３、１３Ａ、１３Ｂ    クライアントＰＣ端末
１５    ストレージサービスサーバ装置
１７Ａ、１７Ｂ、１８    ネットワーク
２２    書誌情報登録部
２３    書誌情報提供部
２４    印刷データ登録部
２５    印刷データ提供部
２６    書誌情報保持部
２７    印刷データ保持部
３１    書誌情報取得部
３２    印刷データ取得部
３３    ストレージサービス保存部
３４    ストレージサービス取得部
３５    書誌情報登録部
３６    印刷データ登録部
３７    初期設定登録受付部
３８    印刷データ提供部
３９    初期設定情報保存部
４１    操作受付部
４２    ログイン処理部
４３    書誌情報取得要求部
４４    ジョブ選択受付部
４５    印刷データ取得要求部
４６    印刷処理部
６１    文書作成アプリケーション
６２    仮想プリンタドライバ
６３    実プリンタドライバ
６４    プラグイン
６５    プラットフォームＡＰＩ
６６    プラットフォーム
６７    記憶部
７１    印刷フロープラグイン
７２    ジョブ蓄積プラグイン
８１    表示制御（ＵＩ制御）部
８２    設定部
８３    通信部
９１    書誌情報登録要求部
９２    印刷データ提供部
９３    印刷データ保存部
１００    コンピュータ
１０１    入力装置
１０２    表示装置
１０３    外部Ｉ／Ｆ
１０３ａ    記録媒体
１０４    ＲＡＭ
１０５    ＲＯＭ
１０６    ＣＰＵ
１０７    通信Ｉ／Ｆ
１０８    ＨＤＤ
２０１    コントローラ
２０２    操作パネル
２０３    外部Ｉ／Ｆ
２０４    通信Ｉ／Ｆ
２０５    プリンタ
２０６    スキャナ
２１１    ＣＰＵ
２１２    ＲＡＭ
２１３    ＲＯＭ
２１４    ＮＶＲＡＭ
２１５    ＨＤＤ
１０００〜１０３０    初期設定画面
１１００    ホーム画面
１２００    ログイン画面
１２１０、１３００    印刷データ一覧画面
１２２０、１３１０    プレビュー画面
１２３０、１３２０、１４００    メッセージ画面
Ｂ    バス
【先行技術文献】
【特許文献】
【０１２９】
【特許文献１】特開２０１０−２７４６２９号公報
【図１】
0006409391.tif 000002
【図２】
0006409391.tif 000003
【図３】
0006409391.tif 000004
【図４】
0006409391.tif 000005
【図５】
0006409391.tif 000006
【図６】
0006409391.tif 000007
【図７】
0006409391.tif 000008
【図８】
0006409391.tif 000009
【図９】
0006409391.tif 000010
【図１０】
0006409391.tif 000011
【図１１】
0006409391.tif 000012
【図１２】
0006409391.tif 000013
【図１３】
0006409391.tif 000014
【図１４】
0006409391.tif 000015
【図１５】
0006409391.tif 000016
【図１６】
0006409391.tif 000017
【図１７】
0006409391.tif 000018
【図１８】
0006409391.tif 000019
【図１９】
0006409391.tif 000020
【図２０】
0006409391.tif 000021
【図２１】
0006409391.tif 000022
【図２２】
0006409391.tif 000023
【図２３】
0006409391.tif 000024
【図２４】
0006409391.tif 000025
【図２５】
0006409391.tif 000026